(57)【要約】  本発明は、ケーシングと、アンテナ装置と、ケーシング上に突出して設けられた装着部と、を含み、ケーシングは金属ケーシングであり、装着部は非金属装着部であり、アンテナ装置は、装着部内に設けられたアンテナを含む、撮影機器を提供する。本発明で提供する撮影機器は、撮影機器のアンテナが外部機器と通信する際に、アンテナと撮影機器の他の部品に干渉の問題が存在するかどうかを考慮する必要がなく、撮影機器の体積をさらに小さくすることができる。また、信号遮断などの問題も存在せず、信号転送効果はさらによい。
2021526665.tif 000002
【特許請求の範囲】
【請求項１】
撮影機器であって、
ケーシングと、アンテナ装置と、前記ケーシング上に設けられた装着部と、を含み、前記ケーシングは金属ケーシングであり、回路基板、センサー及びコントローラーを収容するために用いられ、前記装着部は非金属装着部であり、
前記アンテナ装置は、前記装着部内に設けられたアンテナを含む撮影機器。
【請求項２】
前記ケーシングは、天面と、底面と、前記天面と前記底面との間に接続された側面と、を含み、前記装着部は、前記側面の天面に近い位置に設けられている請求項１に記載の撮影機器。
【請求項３】
前記アンテナは、地理的位置情報を取得するために用いられる第１のアンテナと、リモートコントロール及び画像転送を実現するために用いられる第２のアンテナと、を含む請求項２に記載の撮影機器。
【請求項４】
前記第１のアンテナは、前記装着部の地面とは反対側の頂部に設けられている請求項３に記載の撮影機器。
【請求項５】
前記第２のアンテナは、前記装着部の地面とは反対側の頂部に設けられた第１のアンテナ部と、前記装着部の地面に向いた底部に設けられた第２のアンテナ部と、を含む請求項３に記載の撮影機器。
【請求項６】
前記装着部の頂部に、前記第１のアンテナ及び前記第１のアンテナ部を形成するための第１の放射体が設けられている請求項５に記載の撮影機器。
【請求項７】
前記第１の放射体は、第１の放射グラウンドと、それぞれ前記第１の放射グラウンドに接続した第１の放射ブランチ及び第２の放射ブランチと、を含み、
前記第１の放射グラウンド及び前記第１の放射ブランチは、共同で前記第１のアンテナを形成し、
前記第１の放射グラウンド及び前記第２の放射ブランチは、共同で前記第１のアンテナ部を形成する請求項６に記載の撮影機器。
【請求項８】
前記装着部の頂部に第１のＦＰＣユニットが設けられ、前記第１の放射体の両側にそれぞれ第１の基板及び第１の保護膜が覆設され、前記第１の基板、前記第１の保護膜及び前記第１の放射体は、共同で前記第１のＦＰＣユニットを構成する請求項７に記載の撮影機器。
【請求項９】
前記第２のアンテナ部は、さらに、前記ケーシングと電気的に接続している請求項８に記載の撮影機器。
【請求項１０】
前記装着部の底部に、前記第２のアンテナ部を形成するための第２の放射体が設けられている請求項９に記載の撮影機器。
【請求項１１】
前記装着部の底部に第２のＦＰＣユニットが設けられ、前記第２の放射体の両側にそれぞれ第２の基板及び第２の保護膜が覆設され、前記第２の基板、前記第２の保護膜及び前記第２の放射体は、共同で前記第２のＦＰＣユニットを構成する請求項１０に記載の撮影機器。
【請求項１２】
前記第２の放射体は、導電部材を介して前記ケーシングと接触し、前記第２の保護膜に開口部が形成されており、前記導電部材は前記開口部を貫通する請求項１１に記載の撮影機器。
【請求項１３】
前記第２の放射体の前記開口部に対応する部分は、導電部材を介して前記ケーシングと接触する請求項１２に記載の撮影機器。
【請求項１４】
前記導電部材は、導電発泡体を含む請求項１３に記載の撮影機器。
【請求項１５】
前記アンテナ装置は、前記アンテナと電気的に接続したチップをさらに含む請求項５から請求項１４のいずれか一項に記載の撮影機器。
【請求項１６】
前記チップは、前記ケーシング内に設けられている請求項１５に記載の撮影機器。
【請求項１７】
前記チップは、第１のチップと、第２のチップと、を含み、前記第１のアンテナは、前記第１のチップと電気的に接続されており、前記第１のアンテナ部及び前記第２のアンテナ部は、それぞれ前記第２のチップと電気的に接続されている請求項１６に記載の撮影機器。
【請求項１８】
前記第１のアンテナと前記第１のチップとの間は、第１の導線を介して電気的に接続されている請求項１７に記載の撮影機器。
【請求項１９】
前記第１の導線が同軸ケーブルである請求項１８に記載の撮影機器。
【請求項２０】
前記第１のアンテナ部と前記第２のチップとの間は、第２の導線を介して電気的に接続されている請求項１７に記載の撮影機器。
【請求項２１】
前記第２の導線が同軸ケーブルである請求項２０に記載の撮影機器。
【請求項２２】
前記第２のアンテナ部と前記第２のチップとの間は、第３の導線を介して電気的に接続されている請求項１７に記載の撮影機器。
【請求項２３】
前記第３の導線が同軸ケーブルである請求項２２に記載の撮影機器。
【請求項２４】
前記装着部は、筐体と、前記筐体内に取り付けられた基体と、を含み、前記第１のアンテナ及び前記第２のアンテナは、前記基体と前記筐体との間に固定されている請求項３から請求項１４のいずれか一項に記載の撮影機器。
【請求項２５】
前記第１のアンテナ及び前記第２のアンテナは、前記基体に固定されており、且つ前記第１のアンテナと前記筐体との間、前記第２のアンテナと前記筐体との間に緩衝部材が設けられている請求項２４に記載の撮影機器。
【請求項２６】
前記緩衝部材は、発泡体を含む請求項２５に記載の撮影機器。
【請求項２７】
前記第１のアンテナは、ＧＮＳＳアンテナ、ＧＰＳアンテナ、ガリレオアンテナ及びＧＬＯＮＡＳＳアンテナのうちの１種又は複数種を含む請求項３から請求項１４のいずれか一項に記載の撮影機器。
【請求項２８】
前記第１のアンテナ部は、ＷＩＦＩアンテナ、Ｂｌｕｅｔｏｏｔｈ（登録商標）アンテナ、ＷＬＡＮアンテナ、ＮＦＣアンテナの１種又は複数種を含み、前記第２のアンテナ部は、ＷＩＦＩアンテナ、Ｂｌｕｅｔｏｏｔｈ（登録商標）アンテナ、ＷＬＡＮアンテナ、ＮＦＣアンテナの１種又は複数種を含む請求項５〜１４のいずれか一項に記載の撮影機器。
【請求項２９】
前記撮影機器がカメラであり、前記ケーシングは、カメラケーシングを含み、前記装着部は、像を見るためのファインダーアセンブリを含み、前記ファインダーアセンブリは、ファインダー筐体と、前記ファインダー筐体内に設けられたファインダーと、を含み、前記アンテナは、前記ファインダーと前記ファインダー筐体との間に設けられている請求項１から請求項１４のいずれか一項に記載の撮影機器。
【請求項３０】
前記撮影機器がタブレットＰＣであり、前記ケーシングは、タブレットＰＣケーシングを含み、前記装着部は、レンズアセンブリを含み、前記レンズアセンブリは、レンズ筐体と、前記レンズ筐体内に設けられたレンズと、を含み、前記アンテナは、前記レンズ筐体と前記レンズとの間に設けられている請求項２から請求項１４のいずれか一項に記載の撮影機器。
【発明の詳細な説明】
【技術分野】
【０００１】
本発明は、撮影機器に関する。
【背景技術】
【０００２】
携帯電子機器の技術的な発展に伴い、携帯電子機器の機能は多様化しており、人々にさらに重視されて来ている。現在、よく見られる携帯電子機器としては、カメラなどが挙げられる。携帯電子機器でリモートコントロールを実現するため、携帯電子機器の内部にアンテナを設けることがあり、アンテナによって、携帯電子機器とコンピュータなどの機器とのリモート通信を実現することで、リモートコントロール及びデータ転送などの機能を実現することができる。
【０００３】
先行技術において、携帯電子機器は、ケーシングを含み、アンテナはケーシングの内部に設けられ、且つアンテナの信号転送が干渉を受けないことを保証するために、アンテナと周囲の他の部品との間に一定の間隔をあける必要があり、アンテナが占める空間が大きくなり、携帯電子機器の小型化や携帯化にとって不利である。
【発明の概要】
【発明が解決しようとする課題】
【０００４】
先行技術に存在する上述した又はその他の潜在的な課題を解決するため、本発明の実施例は、撮影機器を提供する。
【課題を解決するための手段】
【０００５】
本発明のいくつかの実施例により、ケーシングと、アンテナ装置と、前記ケーシング上に突出して設けられた装着部と、を含み、前記ケーシングは金属ケーシングであり、前記装着部は非金属装着部であり、前記アンテナ装置は前記装着部内に設けられたアンテナを含む、撮影機器を提供する。
【０００６】
本発明で提供する撮影機器は、ケーシングと、装着部と、アンテナ装置とを撮影機器に設け、ケーシングは金属材料であり、装着部は非金属材料であり、装着部はケーシング上に突出して設けられ、アンテナ装置はアンテナを含み、アンテナは装着部内に設けられている。アンテナが外部機器と通信する際に、アンテナと撮影機器の他の部品に干渉の問題が存在するかどうかを考慮する必要がなく、撮影機器の体積をさらに小さくすることができる。また、信号遮断などの問題も存在せず、信号転送効果はさらによい。
【０００７】
本発明の付加的な態様の利点は、以下の記述において一部を記載し、一部は以下の記述から自明であるか、又は本発明の実践から理解することができる。
【０００８】
以下、図面と合わせて本発明の具体的な実施形態について詳細に説明する。なお、ここに記載する具体的な実施形態は、本発明を説明するためのみに用いるものであり、本発明は、以下の具体的な実施形態に限定されるものではない。
【図面の簡単な説明】
【０００９】
【図１】本発明の撮影機器の全体構造模式図１である。
【図２】本発明の撮影機器の全体構造模式図２である。
【図３】図１における装着部の構造模式図である。
【図４】図１における装着部の正面図である。
【図５】本発明の第１の放射体の構造模式図である。
【図６】本発明の第１のＦＰＣユニットの構造模式図である。
【図７】本発明の第２の放射体の構造模式図である。
【図８】本発明の第２のＦＰＣユニットの構造模式図である。
【図９】本発明のアンテナ装置の構造模式図である。
【発明を実施するための形態】
【００１０】
以下、図面と合わせて本発明の具体的な実施形態について詳細に説明する。なお、ここに記載する具体的な実施形態は、本発明を説明するためのみに用いるものであり、本発明は、以下の具体的な実施形態に限定されるものではない。
【００１１】
なお、本発明の記述において、「中心」、「縦方向」、「横方向」、「長さ」、「幅」、「厚み」、「上」、「下」、「前」、「後ろ」、「左」、「右」、「垂直」、「水平」、「天」、「底」、「内」、「外」、「時計回り」、「反時計回り」、「軸方向」、「径方向」、「周方向」などの用語が示す方位又は位置関係は、図面で示す方位又は位置関係に基づくものであり、本発明の説明に便利なようにし、記述を簡略化するためのものであるにすぎず、それが指す装置又は要素が特定の方位、特定の方位構造及び操作を有している必要があることを指示するものでも暗示するものでもないため、本発明に対する限定と理解することはできない。
【００１２】
また、「第１の」、「第２の」などの用語は、記述の目的のために用いられているにすぎず、相対的な重要性を指示若しくは暗示するもの、又は指示する技術的特徴の数を暗示若しくは明示するものと理解することはできない。そのため、「第１の」、「第２の」などと限定された特徴は、少なくとも１つのこの特徴を明示的又は暗示的に含むことができる。本発明の記述において、「複数の」の意味は、別段の明確で具体的な限定がある場合を除き、少なくとも２つであり、例えば２つ、３つなどである。
【００１３】
本発明において、別段の明確な規定及び限定がある場合を除き、「装着」、「つなぐ」、「接続」、「固定」などの用語は、広義に理解すべきであり、例えば、固定接続であっても、着脱可能な接続であっても、一体化しても、機械的な接続であっても、電気的な接続であっても、互いに通信可能であっても、直接つないでも、中間的な媒体を介して間接的につないでも、２つの要素内部の連通であっても、２つの要素の相互作用関係であってもよい。当業者は、具体的な状況に応じて上記用語の本発明における具体的な意味を理解することができる。
【００１４】
本明細書の記述において、「１つの実施例」、「いくつかの実施例」、「例」、「具体例」、又は「いくつかの例」などの用語を参照した記述は、この実施例又は例に記載された具体的な特徴、構造、材料又は特性が、本発明の少なくとも１つの実施例又は例に含まれていることをいう。本明細書において、上記用語の模式的な記載は、必ずしも同じ実施例又は例に対するものではない。さらに、記載された具体的な特徴、構造、材料又は特性は、いずれか１つ又は複数の実施例又は例を適切な方式で組み合わせてもよい。また、互いに矛盾しない場合には、当業者は、本明細書に記載された異なる実施例又は例及び異なる実施例又は例の特徴を結合し組み合わせてもよい。
【００１５】
図１は、本発明の撮影機器の全体構造模式図１であり、図２は、本発明の撮影機器の全体構造模式図２であり、図３は、図１における装着部の構造模式図であり、図４は、図１における装着部の正面図である。
【００１６】
図１から図４を参照すると、本実施例は、ケーシング１と、アンテナ装置と、ケーシング１上に突出して設けられた装着部２と、を含み、ケーシング１は金属ケーシングであり、装着部２は非金属装着部であり、アンテナ装置は装着部２内に設けられたアンテナ３を含む、撮影機器を提供する。
【００１７】
具体的には、撮影機器は、外部機器との通信を実現可能な携帯電子機器とすることができる。この撮影機器は、ケーシング１と、装着部２と、アンテナ装置と、を含み、装着部２は、ケーシング１上に突出して設けられ、アンテナ装置は、例えば、携帯電話、コンピュータ、基地局などの他の外部機器と通信を行うために用いられる。
【００１８】
ケーシング１は、撮影機器の筐体であってもよく、例えば、回路基板、センサー、コントローラー、メモリなどの、撮影機器の主要機能を実現可能な複数の主要機器を内部に装着又は収容することができる。ケーシング１は、金属材料であってもよく、これにより撮影機器の構造強度を強化することができる。ケーシング１の形状及び寸法は、複数種あってもよく、ここでは具体的に限定しない。
【００１９】
装着部２は、ケーシング１に突出して設けることができ、具体的な実現方式は複数種が可能である。例えば、形状を装着部２に合わせた装着孔をケーシング１上に設け、装着部２を装着孔に取り付けてもよい。また、例えば、ケーシング１に係合溝を設け、装着部２を係合溝内に係合してもよい。装着部２の材料は、非金属材料であってもよく、例えばプラスチック、ガラスなどの材料の１種又は複数種からなってもよい。
【００２０】
好ましくは、ケーシング１は、天面１１と、底面１２と、天面１１と底面１２との間に接続された側面１３と、を含んでもよく、装着部２は、側面１３に設けられる。天面１１は、撮影機器で静止画又は動画を撮影する際に地面とは反対側になる面であってもよく、底面１２は、撮影機器の地面に向いた面であってもよく、側面１３は、天面１１と底面１２との間に設けられ、この撮影機器を用いる際にユーザ側を向く面であってもよく、装着部２は、側面１３に設けてもよく、さらに、側面１３の天面１１に近い位置に設けてもよく、これにより使いやすくなる。
【００２１】
アンテナ装置は、アンテナ３を含み、アンテナ３は、撮影機器の撮影位置取得、画像転送又はリモートコントロールなどの機能の１種又は複数種を実現することができる。アンテナ３は、先行技術においてよく見られるアンテナとすることができ、ここでは具体的に限定しない。アンテナ３は、装着部２内に設けることができ、装着部２がケーシング１から突出しているため、アンテナ３と撮影機器の他の部品に干渉の問題が存在するかどうかを考慮する必要がなく、撮影機器の体積をさらに小さくすることができる。
【００２２】
また、装着部２が非金属材料であるため、アンテナ３をその内部に設けることにより、アンテナ３が外部機器と通信を実現するときに、送信又は受信した信号は、非金属材料の装着部２のみを通過すればよく、金属材料のケーシング１を通過する必要はなく、これにより、信号遮断などの問題が存在せず、信号転送効果がさらによい。
【００２３】
本実施例で提供する撮影機器は、ケーシング、装着部、及びアンテナ装置を設け、ケーシングは金属材料であり、装着部は非金属材料であり、装着部はケーシング上に突出して設けられ、アンテナ装置はアンテナを含み、アンテナは装着部内に設けられている。アンテナが外部機器と通信する際に、アンテナと撮影機器の他の部品に干渉の問題が存在するかどうかを考慮する必要がなく、撮影機器の体積をさらに小さくすることができる。また、信号遮断などの問題も存在せず、信号転送効果はさらによい。
【００２４】
さらに、アンテナ３の１つの好ましい実施形態として、アンテナ３は、地理的位置情報を取得するための第１のアンテナ４と、リモートコントロール及び画像転送を実現するための第２のアンテナ５と、を含み、これにより、撮影機器は、外部機器によってリモート撮影などの操作を実現することができ、画像撮影時の地理的位置を取得することができ、画像を外部機器に転送することもできるようになり、撮影機器の操作の便利さ及び画像情報の完全性をさらに増加させることができる。
【００２５】
第１のアンテナ４の種類は、複数種あってもよく、先行技術においてよく見られる、地理的位置情報を取得するためのＧＮＳＳアンテナであってもよく、例えば、第１のアンテナ４は、ＧＮＳＳアンテナ、ＧＰＳアンテナ、ガリレオアンテナ及びＧＬＯＮＡＳＳアンテナのうちの１種又は複数種を含んでもよい。
【００２６】
さらに、第１のアンテナ４は、装着部２の地面とは反対側の頂部に設けてもよい。第１のアンテナ４は地理的位置情報を取得することができ、動作時に空中の衛星などと通信を行う必要があるため、底面とは反対側の頂部に設けると、使用時に空により近くなり、信号転送効果がよりよくなる。
【００２７】
第２のアンテナ５の種類も複数種あってもよく、先行技術においてよく見られるリモートコントロール及び画像転送を実現可能なアンテナであってもよく、例えば、第２のアンテナ５は、ＷＩＦＩアンテナ、Ｂｌｕｅｔｏｏｔｈ（登録商標）アンテナ、ＷＬＡＮアンテナ、ＮＦＣアンテナの１種又は複数種を含んでもよい。
【００２８】
第２のアンテナ５の１つの好ましい実施形態として、第２のアンテナ５は、第１のアンテナ部５１と、第２のアンテナ部５２と、を含み、第１のアンテナ部５１は、装着部２の地面とは反対側の頂部に設けられ、第２のアンテナ部５２は、装着部２の地面に向いた底部に設けられている。
【００２９】
具体的には、第２のアンテナ５は、少なくとも２つのアンテナを含んでもよく、２つのアンテナを例とすると、一方は第１のアンテナ部５１であり、他方は第２のアンテナ部５２であり、第１のアンテナ部５１及び第２のアンテナ部５２の種類も複数種あってもよく、具体的には第２のアンテナ５の種類を参照することができる。また、第１のアンテナ部５１及び第２のアンテナ部５２は、同じタイプのアンテナであっても、異なるタイプのアンテナであってもよく、ここでは具体的に限定しない。好ましくは、第１のアンテナ部５１及び第２のアンテナ部５２は、同じ種類のＷＩＦＩアンテナであってもよく、それぞれのＷＩＦＩアンテナは、２．４Ｇ帯及び５．８Ｇ帯をカバーすることができる。第１のアンテナ部５１及び第２のアンテナ部５２は、二重送信及び二重受信を実現することにより、ＭＩＭＯアンテナを形成することができ、システムのメリットをさらに向上させる。第１のアンテナ部５１及び第２のアンテナ部５２から送信されるものが同じ情報の異なる符号である場合、転送帯域幅が変わらない状況の下で、システムの抗干渉能力を大幅に向上させることができる。第１のアンテナ部５１及び第２のアンテナ部５２から送信されるものが異なる情報の異なる符号である場合、抗干渉能力が変わらない状況の下で、システムの転送帯域幅を大幅に向上させることができる。また、第１のアンテナ部５１及び第２のアンテナ部５２のアンテナ形式は、ＩＦＡ、ＭＯＮＯＰＯＬＥ、ＬＯＯＰなどを用いてもよい。
【００３０】
第１のアンテナ部５１は、装着部２の底面とは反対側の頂部に設けてもよく、第２のアンテナ部５２は、装着部２の地面に向いた底部に設けてもよく、両者の間を離間することにより、アイソレーションを向上させ、２つのアンテナ間の互いの影響を少なくすることができる。なお、第１のアンテナ部５１は、装着部２の底部に設けてもよく、第２のアンテナ部５２は、装着部２の頂部に設けてもよい。
【００３１】
図５は、本発明の第１の放射体の構造模式図であり、図６は、本発明の第１のＦＰＣユニットの構造模式図である。
【００３２】
図５及び図６を組み合わせ、第１のアンテナ４及び第１のアンテナ部５１は、いずれも装着部２の頂部に設けられており、装着スペースをさらに節約するため、装着部２の頂部に、第１の放射体６１が設けられており、第１の放射体６１は、第１のアンテナ４及び第１のアンテナ部５１を形成するために用いることができ、これにより、第１のアンテナ４及び第１のアンテナ部５１を同じ放射体内に形成することができ、放射体の数を少なくすることができる。第１の放射体６１は、先行技術における放射を発することが可能な物体とすることができ、好ましくは、体積が小さく性能が高い、銅箔である。銅箔の形状及び体積は、実際の状況に応じて設置することができ、ここでは具体的に限定しない。
【００３３】
好ましくは、第１の放射体６１は、第１の放射グラウンド６１１と、それぞれ第１の放射グラウンド６１１に接続した第１の放射ブランチ６１２及び第２の放射ブランチ６１３と、を含んでもよく、第１の放射グラウンド６１１及び第１の放射ブランチ６１２は、共同で第１のアンテナ４を形成し、第１の放射グラウンド６１１及び第２の放射ブランチ６１３は、共同で第１のアンテナ部５１を形成する。第１のアンテナ４が第１のアンテナ部５１と第１の放射グラウンド６１１を共有可能な形式で１つの放射体内に形成することにより、アンテナ３の体積、及び互いの間の干渉を小さくすることができる。
【００３４】
さらに、装着部２の頂部に第１のＦＰＣユニット６が設けられており、第１の放射体６１の両側にそれぞれ第１の基板６２及び第１の保護膜６３が覆設されており、第１の基板６２、第１の保護膜６３及び第１の放射体６１は、共同で第１のＦＰＣユニット６を構成する。
【００３５】
具体的には、第１の放射体６１の破損を防止するため、第１のＦＰＣユニット６の中にパッケージングすることができ、第１のＦＰＣユニット６は、装着部２の頂部に設けてもよく、第１の放射体６１、第１の基板６２及び第１の保護膜６３を含んでもよい。第１の保護膜６３及び第１の基板６２は、それぞれ第１の放射体６１の両側に位置することにより、第１の放射体６１を第１のＦＰＣユニット６の中に封止することができる。第１の放射体６１が破損することにより、第１のアンテナ４及び第１のアンテナ部５１の性能に影響を及ぼすことを防止する。
【００３６】
第２のアンテナ部５２のもう１つの好ましい実施形態として、第２のアンテナ部５２は、さらにケーシング１と電気的に接続されており、第２のアンテナ部５２が装着部２の底部に設けられており、撮影機器の内部の他の部品に比較的近いため、第２のアンテナ部５２をケーシング１と電気的に接続することにより、第２のアンテナ部５２の接地を実現し、その性能を向上させることができる。
【００３７】
なお、第１のアンテナ４及び第１のアンテナ部５１について、両者は装着部２の頂部に設けられているが、装着部２は天面の近くに設けられており、その周囲に部品は少なく、性能は比較的よく、接地の必要はなく、当然ながら、性能をさらに向上させる場合には、第１のアンテナ４及び第１のアンテナ部５１を接地してもよい。
【００３８】
図７は、本発明の第２の放射体の構造模式図であり、図８は、本発明の第２のＦＰＣユニットの構造模式図である。
【００３９】
図７及び図８を参照すると、さらに、装着部２の底部に第２の放射体７１が設けられており、第２の放射体７１は、第２のアンテナ部５２を形成するために用いられる。第２の放射体７１は、先行技術における放射を発することが可能な物体とすることができ、好ましくは、体積が小さく性能が高い銅箔である。銅箔の形状及び体積は、実際の状況に応じて設置することができ、ここでは具体的に限定しない。
【００４０】
さらに、第２の放射体７１の破損を防止するため、装着部２の底部に第２のＦＰＣユニット７が設けられており、第２の放射体７１の両側にそれぞれ第２の基板７２及び第２の保護膜７３が覆設されており、第２の基板７２、第２の保護膜７３及び第２の放射体７１は、共同で第２のＦＰＣユニット７を構成する。具体的には、第２の放射体７１は、第２のＦＰＣユニット７の中にパッケージングすることができ、第２のＦＰＣユニット７は、装着部２の底部に設けてもよく、第２の放射体７１、第２の基板７２及び第２の保護膜７３を含んでもよい。第２の保護膜７３及び第２の基板７２は、それぞれ第２の放射体７１の両側に位置することにより、第２の放射体７１を第２のＦＰＣユニット７の中に封止することができる。第２の放射体７１が破損することにより、第２のアンテナ部５２の性能に影響を及ぼすことを防止する。
【００４１】
また、第２の放射体７１とケーシング１で電気的な接続を実現する方式は、複数種あってもよく、例えば、第２の保護膜７３と第２の基板７２との間に導線が設けられていてもよく、導線は、電気的な接続を実現するために用いることができる。好ましくは、第２の放射体７１は、導電部材を介してケーシング１と接触し、第２の保護膜７３に開口部７４が形成され、導電部材が開口部７４を貫通することにより、導電部材が開口部を通過してケーシング１を第２の放射体７１に接続することができる。開口部７４の形状及び体積は、実際の状況に応じて設置することができ、開口部７４を介した接続によって、導電部材が第２の保護膜７３と第２の基板７２との間に設けられて第２のＦＰＣユニット７の封止性に影響を及ぼすことを防止することができる。
【００４２】
好ましくは、第２の放射体７１の開口部７４に対応する部分は、導電部材を介してケーシング１と接触することができ、第２のＦＰＣユニット７の厚みを小さくし、撮影機器の空間利用を向上させることができる。
【００４３】
導電部材のタイプは複数種あってもよく、例えば、導線又は導電ブロックなどであってもよい。好ましくは、導電部材は、導電発泡体９を含む。導電発泡体９は、導電及び緩衝の作用を同時に奏することができ、電気的な接続を実現するとともに、撮影機器が衝撃を受けたときに、第２のＦＰＣユニット７とケーシング１との間の衝突を防止することができる。
【００４４】
図９は、本発明のアンテナ装置の構造模式図である。図９を参照すると、上記実施例の基礎の上で、アンテナ装置は、さらに、アンテナ３と電気的に接続されたチップ８を含む。チップ８は、アンテナ３とともに集積しても、アンテナ３とは分けて設けてもよく、ここでは具体的に限定しない。好ましくは、チップ８は、ケーシング１内に設けられており、装着部２の体積には限りがあるため、チップ８をケーシング１の中に設け、装着部２の体積を小さくすることができる。
【００４５】
好ましくは、チップ８は、第１のチップ８１と、第２のチップ８２と、を含み、第１のアンテナ４は、第１のチップ８１と電気的に接続されており、第１のアンテナ部５１及び第２のアンテナ部５２は、それぞれ第２のチップ８２と電気的に接続されている。例えば、第１のアンテナ４はＧＰＳアンテナであり、第１のアンテナ部５１及び第２のアンテナ部５２はＷＩＦＩアンテナであり、第１のチップ８１はＧＰＳチップとし、第２のチップ８２はＷＩＦＩチップとすることができ、ＧＰＳアンテナ及びＷＩＦＩアンテナの制御を分けることができ、機能のエリアごとの管理及び実現に便利である。
【００４６】
さらに、第１のアンテナ４と第１のチップ８１との間は、第１の導線６４を介して電気的に接続されている。第１の導線６４の種類は複数種あり、好ましくは、第１の導線６４は同軸ケーブルであり、信号の転送に便利である。
【００４７】
また、第１のアンテナ部５１と第２のチップ８２との間は、第２の導線６５と電気的に接続されている。第２のアンテナ部５２と第２のチップ８２との間は、第３の導線７５を介して電気的に接続されている。導線は曲げやすく、撮影機器の複雑な内部構造に適応することができ、撮影機器の体積を小さくするのに役立つ。導線の種類も複数種あってもよく、好ましくは、第２の導線６５は同軸ケーブルであり、第３の導線７５は同軸ケーブルであり、信号の転送に便利である。
【００４８】
上記実施例の基礎の上で、装着部２は、筐体と、筐体内に取り付けられた基体と、を含み、第１のアンテナ４及び第２のアンテナ５は、基体と筐体との間に固定される。
【００４９】
具体的には、装着部２は、基体と、基体外に覆設された筐体と、を含んでもよく、第１のアンテナ４及び第２のアンテナ５は、基体と筐体との間に固定することにより、第１のアンテナ４及び第２のアンテナ５が装着部２の外に露出して破損することを防止することができ、第１のアンテナ４及び第２のアンテナ５の使用寿命を向上させることができる。
【００５０】
好ましくは、第１のアンテナ４及び第２のアンテナ５は、基体に固定することができ、且つ第１のアンテナ４と筐体との間、第２のアンテナ５と筐体との間に緩衝部材が設けられており、緩衝部材は、一定の弾性を有し、第１のアンテナ４と筐体との空隙に充填することができ、第１のアンテナ４の固定効果を強化するとともに、撮影機器が振動したときの第１のアンテナ４に対する衝撃を軽減することができ、第１のアンテナ４の正常な動作を保証する。
【００５１】
同様に、第２のアンテナ５と筐体との間に緩衝部材を設けてもよい。緩衝部材の種類は複数種あり、例えば、ゴム、スポンジなどであり、好ましくは、コストが比較的低い発泡体を含んでもよい。
【００５２】
なお、本実施例において、撮影機器の種類は、複数種あってもよく、例えば、タブレットＰＣ又はカメラなどであってもよい。撮影機器がタブレットＰＣである場合、ケーシング１は、タブレットＰＣケーシングを含んでもよく、装着部２はレンズアセンブリを含み、レンズアセンブリは、画像の撮影に用いることができ、装着部２の筐体は、レンズ筐体を含んでもよく、基体は、レンズ筐体内に用いられたレンズを含んでもよく、アンテナ３は、レンズ筐体とレンズとの間に設けられている。レンズ筐体は、プラスチックなどの非金属材料であってもよく、レンズは、ガラス材料であってもよく、これにより、装着部２を非金属材料とすることができる。アンテナ３は、レンズ筐体とレンズとの間に設けることができる。具体的には、アンテナ３は、レンズ筐体のレンズを向いた内面に固定されていても、レンズのレンズ筐体を向いた外面に固定されていてもよく、又は、アンテナ３の一方の側がレンズ筐体に固定接続され、他方の側がレンズに固定接続されていてもよい。
【００５３】
撮影機器がカメラである場合、ケーシング１は、カメラケーシングを含み、装着部２は、像を見るためのファインダーアセンブリを含み、筐体は、ファインダー筐体を含んでもよく、基体は、ファインダー筐体内に設けられたファインダーを含んでもよく、アンテナ３は、ファインダーとファインダー筐体との間に設けられている。ファインダーアセンブリは、ユーザが像を見るのに役立ち、ファインダー筐体と、ファインダーと、を含んでもよく、ファインダー筐体は、プラスチック材料などの非金属材料であってもよく、ファインダーは、ガラス材料であってもよく、ファインダーアセンブリを非金属材料とすることができる。なお、カメラは、さらに、表示スクリーンを含んでもよく、表示スクリーン及びファインダーアセンブリは、いずれも像を見るために用いることができる。カメラを三脚などの撮影者から比較的離れた位置に固定する場合、表示スクリーンを介して像を見ることができるが、撮影者が手でカメラを持っている場合、ファインダーアセンブリを介して像を見ることができ、操作に便利である。アンテナ３は、ファインダーとファインダー筐体との間に設けてもよく、具体的には、アンテナ３は、ファインダー筐体のファインダーを向いた内面に固定されていても、ファインダーのファインダー筐体を向いた外面に固定されていても、又は、アンテナ３の一方の側がファインダー筐体に固定接続され、他方の側がファインダーに固定接続されていてもよい。
【００５４】
最後に説明すべきことは、以上の各実施例は、本発明の技術手法を説明するためのものであり、それを限定するためのものではないことである。前記各実施例を参照して本発明について詳細に説明しているにもかかわらず、当業者は、依然として前記各実施例に記載の技術手法を変更するか、又はその一部又は全部の技術的特徴について同等の差し替えを行うことができ、これらの変更又は差し替えは、対応する技術手法の本質を本発明の各実施例の技術手法の範囲から逸脱させるものではないことを理解できるはずである。
【符号の説明】
【００５５】
１  ケーシング
２  装着部
３  アンテナ
４  第１のアンテナ
５  第２のアンテナ
５１  第１のアンテナ部
５２  第２のアンテナ部
６  第１のＦＰＣユニット
６１  第１の放射体
６１１  第１の放射グラウンド
６１２  第１の放射ブランチ
６１３  第２の放射ブランチ
６２  第１の基板
６３  第１の保護膜
６４  第１の導線
６５  第２の導線
７  第２のＦＰＣユニット
７１  第２の放射体
７２  第２の基板
７３  第２の保護膜
７４  開口部
７５  第３の導線
８  チップ
８１  第１のチップ
８２  第２のチップ
９  導電発泡体
１１  天面
１２  底面
１３  側面
【図１】
2021526665.tif 000003
【図２】
2021526665.tif 000004
【図３】
2021526665.tif 000005
【図４】
2021526665.tif 000006
【図５】
2021526665.tif 000007
【図６】
2021526665.tif 000008
【図７】
2021526665.tif 000009
【図８】
2021526665.tif 000010
【図９】
2021526665.tif 000011
【国際調査報告】
2021526665.tif 000012
2021526665.tif 000013
2021526665.tif 000014
2021526665.tif 000015